(57)【特許請求の範囲】
【請求項１】
リール本体に設けられたハンドルの回転操作に連動して回転するロータのアーム部に釣糸巻取位置と釣糸放出位置とに反転可能に支持された釣糸案内部を有する支持部材と、
前記ロータが逆回転するのを防止する逆転防止状態と前記ロータが正回転および逆回転可能な正逆転可能状態とに切換え可能な切換レバーを有する逆転防止機構と
を具備する魚釣用スピニングリールにおいて、
前記逆転防止機構が正逆転可能状態にあるときに、前記支持部材を釣糸巻取位置から釣糸放出位置に反転させたときに、前記逆転防止機構を前記逆転防止状態に強制的に切換える自動切換手段をさらに具備することを特徴とする魚釣用スピニングリール。
【請求項２】
自動切換手段は、
前記逆転防止機構が前記逆転防止状態と前記正逆転可能状態とに切換えられるのに伴って移動する第１の移動部材と、
前記支持部材が前記釣糸巻取位置と前記釣糸放出位置とに切換えられるのに伴って前記第１の移動部材に対して接離可能に移動する第２の移動部材と
を備え、
前記逆転防止機構が前記正逆転可能状態にあるときに、前記支持部材が前記釣糸放出位置に反転されると、前記第２の移動部材で前記第１の移動部材を係合移動させて前記逆転防止機構を前記正逆転可能状態から前記逆転防止状態に切換え、
前記逆転防止機構が前記逆転防止状態にあるときに、前記支持部材が前記釣糸放出位置に切換えられたときには、前記第１および第２の移動部材は非係合状態で前記逆転防止状態を維持するようにしたことを特徴とする請求項１に記載の魚釣用スピニングリール。
【発明の詳細な説明】
【技術分野】
【０００１】
本発明は、ハンドルに連動して回転するロータに、釣糸案内部を有する支持部材を釣糸巻取位置と釣糸放出位置とに反転自在に支持した魚釣用スピニングリールに関する。
【背景技術】
【０００２】
魚釣用スピニングリールは、ロータの支持アームの前部に釣糸案内部を有する支持部材を反転可能に支持するとともに、この支持部材を釣糸巻取位置と釣糸放出位置に振り分けて付勢して保持する振り分け機構を備え、また、釣糸放出位置にある支持部材を釣糸巻取位置に自動復帰させる反転機構や釣糸放出操作時のロータの不用意な回転による誤復帰やロータの破損、損傷を防止するために、ロータの釣糸巻き取り方向の回転を規制する回転規制機構を備えたものが例えば特許文献１に開示されている。
【特許文献１】特開２００２−２８１８７３号公報
【発明の開示】
【発明が解決しようとする課題】
【０００３】
魚釣用スピニングリールには、一般的にロータの回転を逆転防止状態（ＯＮ）と正回転および逆回転可能な正逆転可能状態（ＯＦＦ）との切換え可能な逆転防止機構及び切換レバーを備えており、魚釣操作（釣糸巻き取り操作）時には、通常、逆転防止機構はＯＮの状態に設定される。
【０００４】
釣糸を放出操作する前に、例えば釣人は竿先からの仕掛けの垂らし長さを調節するために、逆転防止機構を正逆転可能状態（切換レバーがＯＦＦの位置）に切換えた後、ロータを正回転または逆回転させて適切な垂らし長さに調節する。
【０００５】
釣糸が放出される連続的な作業の中で、釣人はうっかりしてロータの正逆回転可能状態（切換レバーがＯＦＦの位置）でベールを起こして釣糸の放出操作を行ってしまうことがあり、釣糸の振り下ろし時の勢いやハンドル位置の影響等によりロータが勢い良く逆回転して釣糸を放出してロータやリール本体に非常に大きな力が作用して回転規制機構や反転復帰機構等にダメージを与えてしまい、リールの寿命を短くしてしまう可能性がある。
【０００６】
本発明は前記事情に着目してなされたものであり、その目的とするところは、ベールの支持部材を釣糸放出位置に反転したときに、正逆転可能状態にある逆転防止機構を逆転防止状態に強制的に切換えることが可能な魚釣用スピニングリールを提供することにある。
【課題を解決するための手段】
【０００７】
上記課題を解決するために、この発明に係る魚釣用スピニングリールは、リール本体に設けられたハンドルの回転操作に連動して回転するロータのアーム部に釣糸巻取位置と釣糸放出位置とに反転可能に支持された釣糸案内部を有する支持部材と、前記ロータが逆回転するのを防止する逆転防止状態と前記ロータが正回転および逆回転可能な正逆転可能状態とに切換え可能な切換レバーを有する逆転防止機構とを備えている。そして、前記逆転防止機構が正逆転可能状態にあるときに、前記支持部材を釣糸巻取位置から釣糸放出位置に反転させたときに、前記逆転防止機構を前記逆転防止状態に強制的に切換える自動切換手段をさらに備えていることを特徴とする。  
また、自動切換手段は、前記逆転防止機構が前記逆転防止状態と前記正逆転可能状態とに切換えられるのに伴って移動する第１の移動部材と、前記支持部材が前記釣糸巻取位置と前記釣糸放出位置とに切換えられるのに伴って前記第１の移動部材に対して接離可能に移動する第２の移動部材とを備え、前記逆転防止機構が前記正逆転可能状態にあるときに、前記支持部材が前記釣糸放出位置に反転されると、前記第２の移動部材で前記第１の移動部材を係合移動させて前記逆転防止機構を前記正逆転可能状態から前記逆転防止状態に切換え、前記逆転防止機構が前記逆転防止状態にあるときに、前記支持部材が前記釣糸放出位置に切換えられたときには、前記第１および第２の移動部材は非係合状態で前記逆転防止状態を維持するようにしたことが好適である。
【発明の効果】
【０００８】
本発明の魚釣用スピニングリールによれば、ベールの支持部材を釣糸放出位置に反転したときに、正逆転可能状態にある逆転防止機構を逆転防止状態に強制的に切換えることができる。すなわち、正逆転可能状態での誤った釣糸放出操作を確実に回避することができて、釣糸の振り下ろし時の勢いやハンドル位置の影響等によりロータが勢い良く逆回転することを防止することができるので、ロータやリール本体に非常に大きな力を与えてしまうことを防止し、リールの長寿命化を図ることができる。
【発明を実施するための最良の形態】
【０００９】
以下、図面を参照しながらこの発明を実施するための最良の形態について説明する。  
図１には、本発明の一実施形態に係る魚釣用スピニングリール１０の全体構成に主要部の構成を合わせた部分断面図を示す。
【００１０】
魚釣用スピニングリール１０は、例えば金属で剛性構造に形成されたリール本体１２と、リール本体１２の前方に回転可能に配されたロータ１４と、このロータ１４の回転運動と同期して前後動可能に配設されたスプール１６とを有している。このリール本体１２は、ロータ１４やスプール１６が配設された位置から延出された脚部１２ａの端部に形成された竿取付部１２ｂを介して図示しない釣竿に取り付けられる。
【００１１】
リール本体１２内には、ハンドル軸２２が回転可能に支持されており、その突出端部には、巻き取り操作されるハンドル２４が取り付けられている。ハンドル軸２２には、ロータ１４を巻き取り駆動するための巻き取り駆動機構が係合されている。この巻き取り駆動機構は、ハンドル軸２２に取り付けられ内歯が形成されたドライブギャ３２と、このドライブギャ３２に噛合し、ハンドル軸２２と直交する方向に延出すると共に内部に軸方向に延出する空洞部が形成された筒状のピニオンギャ３４とを備えている。ピニオンギャ３４は、後述する支持部５０に軸受３４ａを介して回転可能に支持されており、その空洞部には、ハンドル軸２２と直交する方向に延出し、先端側にスプール１６を取り付けたスプール軸３６が軸方向に移動可能に挿通された状態で支持されている。
【００１２】
また、ピニオンギャ３４には、スプール軸３６を前後動させるオシレーティング機構が係合されている。このオシレーティング機構は、スプール軸３６と平行に延出された螺軸３８と、この螺軸３８の外周面に形成された螺旋溝３８ａに係合すると共に、スプール軸３６の基端部にビス止めして取り付けられた係合子４０とを有している。螺軸３８の端部には、ピニオンギャ３４と噛合する連動歯車４２が取り付けられており、螺軸３８が、ピニオンギャ３４及び連動歯車４２を介して回転駆動されることで、スプール軸３６は螺旋溝３８ａ内に案内される係合子４０の係合ピン４０ａを介して前後動される。
【００１３】
ピニオンギャ３４はスプール１６側に向けて延出されており、その先端部において、ナット４４を介してロータ１４が取り付けられている。また、ピニオンギャ３４には、その中間部分に図２（Ａ）に示す転がり式の一方向クラッチ（逆転防止機構）４６が取り付けられている。
【００１４】
図２（Ａ）および図４（Ａ）には、リール本体１２に配設され、ピニオンギャ３４を支える支持部５０を示す。この支持部５０は、軸受３４ａの前方に、段部５０ａを有し、この段部５０ａ内に転がり式一方向クラッチ４６を収容し、支持している。この一方向クラッチ４６は、ピニオンギャ３４の作動部３４ｂに回り止め嵌合された内輪部材５２と、前部段部５０ａ内に嵌合された外輪部材５６との間に保持器５８ａで保持されたローラ状の複数の転がり部材５８が配設されている。外輪部材５６は回り止め部材６０により、支持部５０内で回り止めされる。
【００１５】
転がり部材５８は、内輪部材５２の滑らかな円筒状面で形成された外周面と外輪部材５６の内周面との間で、楔作用するクラッチ４６の作動状態（図２（Ａ）参照）と、図示しないが公知のように自由に回転する非作動状態とに移動される。すなわち、保持器５８ａは、転がり部材５８を自由回転領域と回転規制領域との間で移動することができる。そして、この保持器５８ａからは、作動アーム５８ｂが径方向外方に突出されている。この作動アーム５８ｂには、リール本体１２内を前後に延びる操作軸６２ａを介して、リール本体１２の後端部に配置した切換レバー６２（図１参照）が連結されている。
【００１６】
このため、リール本体１２の後端部に取り付けられている切換レバー（ストッパ）６２を操作することで、操作軸６２ａを回動させて保持器５８ａを自由回転領域と回転規制領域との間で移動し、一方向クラッチ４６を作動状態（ロータ１４が正回転可能な逆転防止状態）（図２（Ａ）参照）と、非作動状態（ロータ１４が正回転および逆回転可能な正逆転可能状態）とに切換えるように構成されている。この場合、切換レバー６２を逆転防止状態（ＯＮ）に切換えることで、ハンドル２４（ロータ１４）の正転方向の回転（釣糸の巻き取り）を許容し逆転方向の回転（釣糸の放出）が防止され、切換レバー６２を正逆転可能状態（ＯＦＦ）に切換えることで、ハンドル２４（ロータ１４）の正回転および逆回転が可能となっている。
【００１７】
ロータ１４は、スプール１６のスカート部１６ａ内に位置する筒部（円筒部）１４ａと、一対のアーム部１４ｂａ，１４ｂｂを有している。各アーム部１４ｂａ，１４ｂｂ（代表する場合は符号１４ｂとする）の前端部には、第１および第２のベール支持部材１４ｃａ，１４ｃｂ（代表する場合は符号１４ｃとする）が釣糸巻取位置（図２（Ｂ）参照）と釣糸放出位置（図３（Ｂ）参照）との間で回動自在（反転自在）に支持されている。これらベール支持部材１４ｃａ，１４ｃｂの間には、釣糸放出状態にある釣糸をピックアップするベール１４ｄが配設されている。この場合、ベール１４ｄの一方の基端部がベール支持部材１４ｃａに取り付けられており、他方の基端部がベール支持部材１４ｃｂに一体的に設けられた釣糸案内部１４ｅに取り付けられている。
【００１８】
スプール１６は、スカート部１６ａと前側フランジ１６ｂとの間に釣糸が巻回される釣糸巻回胴部１６ｃを備えており、スプール軸３６に、ドラグノブ７２を介して取り付けられている。
【００１９】
上記した構成により、ハンドル２４を正回転方向に巻き取り操作することで、ロータ１４がドライブギャ３２およびピニオンギャ３４を介して回転駆動され、かつ、スプール１６がピニオンギャ３４およびオシレーティング機構を介して前後動され、釣糸は、釣糸案内部１４ｅを介してスプール１６の巻回胴部１６ｃに均等に巻回される。
【００２０】
そして、リール本体１２及びロータ１４には、ベール１４ｄを釣糸放出位置に配置した際にロータ１４が釣糸巻き取り方向に回転することを規制する、ベール１４ｄの反転機構（回転規制機構）８０が設けられている。以下、本実施の形態における反転機構８０の構成を、図２および図３を参照しながら説明する。
【００２１】
図２（Ｂ）および図３（Ｂ）は、アーム部１４ｂａの外カバー１４ｆ（図２（Ａ）参照）を取り外して、復帰用移動部材８２を露出させた状態を示す。また、図２（Ｂ）は、ベール１４ｄを釣糸巻取位置に回動させた状態を示す図であり、図３（Ｂ）は、ベール１４ｄを釣糸放出位置に回動させた状態を示す図である。
【００２２】
反転機構８０は、ロータ１４の一方のアーム部１４ｂａ内に配設され、上下方向に移動可能な復帰用移動部材８２と、リール本体１２の前部に設けられ、復帰用移動部材８２の一部が当接可能な復帰用衝接部８４とを備えている。この場合、復帰用衝接部８４は、リール本体１２の前端面の外周部分（フランジ部１２ｃ）に突出形成されたものであり、以下に述べる復帰用移動部材８２のボス（当接部）８２ｂが当接して、ロータ１４の釣糸巻き取り方向への回転を規制する規制部８４ａを備えている。
【００２３】
本実施形態における復帰用移動部材８２は、アーム部１４ｂａ内に延出するようにロッド状に構成されており、その一端側には外側に向けてボス８２ａが屈曲形成され、他端側にはアーム部１４ｂａから円筒部１４ａ内に入り込むようにしてボス（当接部）８２ｂが屈曲形成されている。
【００２４】
アーム部１４ｂａに回動可能に支持された第１のベール支持部材１４ｃａには、その回動支持部分の近傍に略円弧状の長孔１４ｇが形成されており、この長孔１４ｇ内に復帰用移動部材８２のボス８２ａ（図２（Ａ）および図３（Ａ）参照）が配設されている。また、アーム部１４ｂａの下端部には、上下方向に延出する長孔１４ｈが形成されており、この長孔１４ｈ内に復帰用移動部材８２のボス８２ｂ（図２（Ａ）および図３（Ａ）参照）が配設されている。
【００２５】
上記した構成において、ボス８２ａ，８２ｂが形成された復帰用移動部材８２と、各長孔１４ｇ，１４ｈとは、以下のような位置関係、及び作動するように構成されている。  
図２（Ｂ）に示すように、ベール１４ｄの支持部材１４ｃが釣糸巻取位置にあるとき、ボス８２ａは長孔１４ｇの下側端部１４ｍと係合し、かつ、ボス８２ｂは長孔１４ｈの上方に位置している。このとき、図２（Ａ）および図２（Ｃ）に示すように、ボス８２ｂは、リール本体１２に形成された復帰用衝接部８４と干渉しない位置、すなわち、ロータ１４が回転しても、ボス８２ｂは、復帰用衝接部８４の規制部８４ａと当接しないようになっている。
【００２６】
そして、ベール１４ｄを図３（Ｂ）に示すように、釣糸放出位置に向けて回動させると、長孔１４ｇの上側端部１４ｎがボス８２ａと係合し、ボス８２ａ（復帰用移動部材８２）を下方に向けて押し下げる。最終的に釣糸放出位置に回動されると、下端側のボス８２ｂは、図３（Ｂ）に示すように、長孔１４ｈの下方に位置するようになっている。このとき、ボス８２ｂは、図３（Ａ）および図３（Ｃ）に示すように、復帰用衝接部８４と干渉する位置にあり、すなわち、ボス８２ａが釣糸放出位置にあるときにロータ１４を正回転させる（ロータ１４を釣糸巻き取り方向に回転させる）と、ボス８２ｂが復帰用衝接部８４の規制部８４ａに当接して、その回転が規制されるようになっている。
【００２７】
図２、図３および図６に示すように、上記した構成のスピニングリール１０において、リール本体１２及びロータ１４には、切換レバー６２がＯＦＦの位置にあるときに、ベール支持部材１４ｃを釣糸巻取位置から釣糸放出位置に反転させたときに、切換レバー６２をＯＮの位置に強制的に切換える自動切換機構（自動切換手段）９０が設けられている。
【００２８】
自動切換機構９０は、リール本体１２の支持部５０の外側のフランジ部１２ｃに一端（下端）が支持されたコイルバネ９２と、このコイルバネ９２の他端（上端）に配設された切換部材９４と、この切換部材９４の移動を規制する抜け止め部材９６とを有する。すなわち、切換部材９４は、コイルバネ９２と抜け止め部材９６との間に配設されている。
【００２９】
切換部材９４は、リール本体１２の支持部５０の外側の前後方向に沿って移動可能なように、略環状（略筒状）に形成されている。この切換部材９４には、切換レバー６２の操作軸６２ａが挿通されている。このため、切換部材９４は、切換レバー６２がＯＮの位置とＯＦＦの位置との間で切換え操作されるのに伴って回動する。さらに、この切換部材９４には、復帰用移動部材８２のボス８２ｂにより押圧されるフランジ部９４ａが形成されている。このため、ボス８２ｂにより切換部材９４のフランジ部９４ａが押圧されると、コイルバネ９２の付勢力に抗してリール本体１２のフランジ部１２ｃ側に、リール本体１２の支持部５０の外側に沿って移動する。
【００３０】
なお、復帰用移動部材８２のボス８２ｂは、復帰用衝接部８４に配設される位置よりも、切換部材９４のフランジ部９４ａを押圧する位置の方が小径に形成されている。このため、より狭い空間に復帰用移動部材８２のボス８２ｂと切換部材９４のフランジ部９４ａとを配設することができる。
【００３１】
切換部材９４のうち、切換レバー６２の操作軸６２ａの周囲には、リール本体１２のフランジ部１２ｃに向かって突出する突部（第２の移動部材）９４ｂが形成されている。一方、切換レバー６２の操作軸６２ａには、切換部材９４の突部９４ｂが接離可能に当接される突部（第１の移動部材）６２ｂが並設された状態に一体的に形成されている。特に、突部６２ｂは、リール本体１２のフランジ部１２ｃに対して作動アーム５８ｂ側に突出した状態に設けられている。
【００３２】
切換部材９４の突部９４ｂおよび操作軸６２ａの突部６２ｂの対向部には、それぞれ斜面９４ｃ，６２ｃが形成されている。これら斜面９４ｃ，６２ｃは、互いが当接されたときに互いに対して滑るように例えば平滑面として形成されている。
【００３３】
このため、図４（Ｂ）に示すように、切換レバー６２を操作すると、操作軸６２ａが回動するのに伴って操作軸６２ａに設けられた突起６２ｂの斜面６２ｃが切換部材９４の突起９４ｂの斜面９４ｃに対して操作軸６２ａの軸回り方向に接離する。なお、図４（Ｂ）中、実線で示す突部６２ｂは切換レバー６２がＯＮの位置であり、破線で示す突部６２ｂは切換レバー６２がＯＦＦの位置である。一方、図２（Ｂ）、図２（Ｄ）、図３（Ｂ）、図３（Ｄ）に示すように、復帰用移動部材８２を移動させて、ベール１４ｄを釣糸巻取位置（図２（Ｂ）参照）と釣糸放出位置（図３（Ｂ）参照）とに切換えると、切換部材９４の突起９４ｂの斜面９４ｃが操作軸６２ａに設けられた突起６２ｂの斜面６２ｃに対して操作軸６２ａの軸方向に沿って接離する。
【００３４】
なお、第２のベール支持部材１４ｃｂを回動可能に支持するアーム部１４ｂｂの内部には、ベール支持部材１４ｃを釣糸巻取位置と釣糸放出位置とに振り分け付勢保持する振り分け機構（反転機構）１００が配設されている。具体的には、この振り分け機構１００は、支軸１０２を介してアーム部１４ｂｂに揺動可能に取り付けられた筒状の揺動部材１０４と、ベール支持部材１４ｃｂと揺動部材１０４とを接続し且つ揺動部材１０４と協働してベール支持部材１４ｃを２つの位置に振り分ける振り分け部材１０６と、振り分け部材１０６と揺動部材１０４との間に介挿された圧縮コイルバネ１０８とを備えている。
【００３５】
ベール支持部材１４ｃｂは、アーム部１４ｂｂの内部でピン１１０ａによって回動可能に支持された略半円環状の取付部１１０を有している。この取付部１１０は、アーム部１４ｂｂの円弧状の内面とピン１１０ａの外周面との間に形成される円弧空間１１０ｂによって案内支持されるようになっている。
【００３６】
また、振り分け部材１０６は、ピン１１０ａの中心から偏心した位置で取付部１１０に回動可能に係合接続される係合部１０６ｂを有する接続端部１０６ａと、揺動部材１０４の筒状部内に挿入される軸部１０６ｃとを有している。また、軸部１０６ｃの外周には圧縮コイルバネ１０８が巻装されており、圧縮コイルバネ１０８の一端側は、揺動部材１０４内に挿入されて揺動部材１０４の底部で受けられているとともに、圧縮コイルバネ１０８の他端側は、振り分け部材１０６のバネ受け面１０６ｄで受けられている。
【００３７】
図７（Ａ）は、第２のベール支持部材１４ｃｂが圧縮コイルバネ１０８の付勢力によって釣糸巻取位置に振り分け保持された状態を示している。この状態において、圧縮コイルバネ１０８は、ベール支持部材１４ｃに対しこれを図７（Ａ）中反時計回りに回転させる方向で付勢力を付与し、ベール支持部材１４ｃｂの取付部１１０の端部１１０ｃをアーム部１４ｂｂの突き当て部１１２に当て付かせている。この釣糸巻取位置から、手動でベール１４ｄの第２のベール支持部材１４ｃｂを圧縮コイルバネ１０８の付勢力に抗して図７（Ａ）中時計回り方向に回動させる（この時、ベール１４ｄを介して第２のベール支持部材１４ｃｂと接続する第１のベール支持部材１４ｃａも図中時計回り方向に回動する）と、第２のベール支持部材１４ｃｂに係合接続された振り分け部材１０６は、第２のベール支持部材１４ｃｂと共に移動しながら、係合部１０６ｂを中心に第２のベール支持部材１４ｃｂに対して反時計回りに相対的に回動するとともに、揺動部材１０４内に受けられたその軸部１０６ｃによって揺動部材１０４を支軸１０２を中心に反時計回りに揺動させる。また、この時、振り分け部材１０６は、その軸部１０６ｃが揺動部材１０４内に入り込むことにより、揺動部材１０４との間に介挿された圧縮コイルバネ１０８を圧縮する。そして、振り分け機構１００のデッドポイントを越える領域まで第２のベール支持部材１４ｃｂが時計回りに回動された時点で、圧縮コイルバネ１０８は、第２のベール支持部材１４ｃｂに対しこれを図中時計回りに回転させる方向（釣糸放出位置へ回動させる方向）で付勢力を付与するようになり、その後、第２のベール支持部材１４ｃｂは、圧縮された圧縮コイルバネ１０８の付勢力によって、釣糸放出位置に保持される。その状態が図７（Ｂ）に示されている。
【００３８】
また、この図７（Ｂ）に示される釣糸放出位置から、手動で第２のベール支持部材１４ｃｂを圧縮コイルバネ１０８の付勢力に抗して図中反時計回り方向に回動させると、第２のベール支持部材１４ｃｂに係合接続された振り分け部材１０６は、第２のベール支持部材１４ｃｂと共に移動しながら、係合部１０６ｂを中心として第２のベール支持部材１４ｃｂに対して時計回りに相対的に回動するとともに、その軸部１０６ｃによって揺動部材１０４を支軸１０２を中心に時計回りに揺動させる。そして、振り分け機構１００のデッドポイントを越える領域まで第２のベール支持部材１４ｃｂが反時計回りに回動された時点で、圧縮コイルバネ１０８は、第２のベール支持部材１４ｃｂに対しこれを図中反時計回りに回転させる方向（釣糸巻取位置へ回動させる方向）で付勢力を付与するようになり、その後、第２のベール支持部材１４ｃｂ（および、ベール１４ｄを介して第２のベール支持部材１４ｃｂと接続する第１のベール支持部材１４ｃａ）は、手動によらず、伸長する圧縮コイルバネ１０８の付勢力によって、釣糸巻取位置へと回動されて、この位置（図７（Ａ）の位置）で保持される。
【００３９】
以下、上述したような魚釣用スピニングリール１０の作用について説明する。  
通常、釣糸の放出（仕掛けの投擲）に際しては、切換レバー６２を逆転防止状態のＯＮの位置に配置し、第１および第２のベール支持部材１４ｃａ，１４ｃｂ（ベール１４ｄ）を、釣糸巻取位置（図２（Ａ）〜図２（Ｄ）、図７（Ａ）参照）から振り分け機構１００によって、釣糸放出位置（図３（Ａ）〜図３（Ｄ）、図７（Ｂ）参照）に反転操作して、釣糸を釣糸案内部１４ｅから外した状態とし、釣竿を振り下ろすことで成される。
【００４０】
ベール１４ｄを図２（Ｂ）に示す釣糸巻取位置から振り分け機構１００によって図３（Ｂ）に示す釣糸放出位置に回動させると、復帰用移動部材８２は、上端側のボス８２ａに当て付く長孔１４ｇの上側端部１４ｎによって押し下げられ、図３（Ｂ）に示す位置に移動される。これにより下端側のボス８２ｂは、復帰用衝接部８４の規制部８４ａに当接可能な位置に入り込む。このため、復帰用移動部材８２の下端側のボス８２ｂは、図２（Ｃ）に示す釣糸巻取位置のように復帰用衝接部８４の規制部８４ａに離れた状態から、図３（Ｃ）に示す釣り糸放出位置のように復帰用衝接部８４の規制部８４ａに当て付け可能な位置に配置される。
【００４１】
このように、復帰用移動部材８２の下端側のボス８２ｂが図２（Ｂ）に示す状態から図３（Ｂ）に示す状態に下げられると、切換部材９４のフランジ部９４ａがボス８２ｂにより図２（Ａ）に示す位置から図３（Ａ）に示す位置に下側に押圧されて下げられる。
【００４２】
このとき、切換部材９４の突部９４ｂの斜面９４ｃは、切換部材９４のフランジ部９４ａが下げられるのに伴って下げられるが、図３（Ｄ）に示すように操作軸６２ａの突部６２ｂの斜面６２ｃとは非接触状態に離間し、釣糸放出位置への反転を許容する。そして、実釣時の釣糸放出前の作業の中で操作軸６２ａの突部６２ｂが図５に実線で示す位置（切換レバー６２がＯＦＦの位置）にあるときに、ベール支持部材１４ｃａ，１４ｃｂを釣糸巻取位置から釣糸放出位置に反転操作した時は、切換部材９４の突起９４ｂの斜面９４ｃで操作軸６２ａに設けられた突起６２ｂの斜面６２ｃを押圧する。このため、操作軸６２ａは斜面９４ｃ，６２ｃによる変換作用でその軸周り方向に力を受けて、操作軸６２ａの突部６２ｂが図５に破線で示す位置（切換レバー６２がＯＮの位置）に移動する。すなわち、ベール１４ｄを釣糸放出位置に起こすと、切換レバー６２が強制的にＯＮの位置に切換えられる。
【００４３】
一方、切換レバー６２がＯＮの位置に切換えられた状態でベール１４ｄを起こすと、切換部材９４の突部９４ｂはリール本体１２の支持部５０の外側に沿って下げられるが、この突部９４ｂに対して操作軸６２ａの突部６２ｂが離れた位置に配設されているので、切換部材９４の突部９４ｂの斜面９４ｃと操作軸６２ａの突部６２ｂの斜面６２ｃとが当接されることはない。このため、切換レバー６２がＯＮの位置にあるときは、自動切換機構９０に係合することなく、釣糸放出位置への反転操作が可能となる。
【００４４】
また、切換レバー６２がＯＮの位置にあるときもベール１４ｄを起こすと、復帰用移動部材８２のボス８２ｂでロータ１４の正回転を防止する。  
すなわち、ベール１４ｄを起こして仕掛けを投擲する際には、転がり式一方向クラッチ４６の逆回転防止作用、及び反転機構８０の正回転防止作用によって、ロータ１４が固定される。
【００４５】
そうすると、釣竿の振り下ろし時にロータ１４が回転することが防止されるので、釣竿の振り下ろし時の勢いやハンドル２４の位置の影響等により、ロータ１４が不意に勢い良く逆回転して、ロータ１４やリール本体１２の反転機構８０、アーム部１４ｂ等に大きな力が加えられることが防止される。
【００４６】
また、切換レバー６２がＯＦＦの位置でベール１４ｄが図２（Ｂ）に示すように釣糸巻取位置にあるときには、切換レバー６２をＯＮの位置に切換えても、図４（Ｂ）に示すように、操作軸６２ａの軸回り方向に近接するだけで、切換部材９４の突部９４ｂの斜面９４ｃと、操作軸６２ａの突部６２ｂの斜面６２ｃとが当接することはない。
【００４７】
そして、仕掛け投擲後に、ベール１４ｄを図２（Ｂ）に示す釣糸巻取位置に回動させると、図２（Ａ）から図２（Ｃ）に実線で示すように、復帰用移動部材８２の下端側のボス８２ｂは、復帰用衝接部８４と干渉しない位置に移動される。したがって、ロータ１４は正回転方向に自由に回転可能な状態となる。
【００４８】
以上説明したように、この実施の形態によれば、以下のことが言える。  
ベール１４ｄを釣糸巻取位置から釣糸放出位置に反転させたときに、正逆転可能状態のＯＦＦの位置にある切換レバー６２を強制的にＯＮの位置に切換えることができる。このため、仮に、切換レバー６２がＯＦＦの位置にある状態である場合の釣糸放出操作を誤って行うことを確実に防止することができる。したがって、例えば釣糸放出時などにロータ１４が高速回転したり、アーム部１４ｂに大きな力が加えられたりすることを防止することができる。このため、リール１０の寿命を長寿命化することができる。
【００４９】
なお、この実施の形態では、スプール軸３６を中心として同心状に１つのコイルバネ（大径のコイルバネ）９２が配設されたものとして説明したが、複数のコイルバネ（小径のコイルバネ）が切換部材９４が配置された位置に適当な間隔をおいて配設されていることも好適である。また、切換部材９４を図２（Ａ）および図３（Ａ）中の上側に向かって付勢することができるのであれば、付勢手段はコイルバネ９２に限らず、種々のバネや弾性体を用いることができる。
【００５０】
また、この実施の形態では切換部材９４を略環状（略円筒状）であるものとして説明したが、環状ではなく、復帰用移動部材８２のボス８２ｂを押圧可能な範囲だけに形成されていることも好適である。
【００５１】
これまで、一実施形態について図面を参照しながら具体的に説明したが、この発明は、上述した実施の形態に限定されるものではなく、反転機構８０、逆転防止機構４６、自動切換機構９０、振り分け機構１００等は、その要旨を逸脱しない範囲で行なわれるすべての実施を含む。
【図面の簡単な説明】
【００５２】
【図１】本発明の一実施の形態に係る魚釣用スピニングリールの全体構成に主要部の構成を合わせた部分断面図。
【図２】（Ａ）は一実施の形態に係る魚釣用スピニングリールの図１に示す断面図の拡大図であって復帰用移動部材を釣糸巻取位置に配置した図、（Ｂ）は復帰用移動部材を釣糸巻取位置に配置した図、（Ｃ）は図２（Ａ）中の２Ｃ−２Ｃ線に沿う概略的な断面図、（Ｄ）は図２（Ａ）中の２Ｄ−２Ｄ線に沿う概略的な断面図。
【図３】（Ａ）は一実施の形態に係る魚釣用スピニングリールの図１に示す断面図の拡大図であって復帰用移動部材を釣糸放出位置に配置した図、（Ｂ）は復帰用移動部材を釣糸放出位置に配置した図、（Ｃ）は図３（Ａ）中の３Ｃ−３Ｃ線に沿う概略的な断面図、（Ｄ）は図３（Ａ）中の３Ｄ−３Ｄ線に沿う概略的な断面図。
【図４】（Ａ）は図２（Ａ）中の４Ａ−４Ａ線に沿う概略的な断面図、（Ｂ）は切換レバーを操作したときに移動する操作軸の突部の動きを示す概略的な部分断面図。
【図５】図２に示す位置のベールを図３に示す位置に移動させたときに移動する切換部材の突部が操作軸の突部に向かって移動して、操作軸の突部を押圧して移動させて、正逆転可能状態にあった切換レバーを逆転防止状態に切換える状態を示す概略的な部分断面図。
【図６】（Ａ）は図２（Ａ）および図３（Ａ）中の６Ａ−６Ａ線に沿う概略的な断面図、（Ｂ）は図６（Ａ）中の操作軸を含む部分を拡大して示す概略的な断面図。
【図７】（Ａ）はアーム部の内部に設けられた振り分け機構の、釣糸巻取位置のときの断面図、（Ｂ）はアーム部の内部に設けられた振り分け機構の、釣糸放出位置の断面図。
【符号の説明】
【００５３】
１０…魚釣用スピニングリール、１２…リール本体、１２ａ…脚部、１２ｂ…竿取付部、１４…ロータ、１４ａ…筒部、１４ｂ…アーム部、１４ｃ…ベール支持部材、１４ｄ…ベール、１４ｅ…釣糸案内部、１４ｆ…外カバー、１４ｇ…長孔、１４ｈ…長孔、１４ｍ…下側端部、１４ｎ…上側端部、１６…スプール、１６ａ…スカート部、１６ｂ…前側フランジ、１６ｃ…釣糸巻回胴部、２２…ハンドル軸、２４…ハンドル、３２…ドライブギャ、３４…ピニオンギャ、３４ａ…軸受、３４ａ…作動部、３６…スプール軸、３８…螺軸、３８ａ…螺旋溝、４０…係合子、４０ａ…係合ピン、４２…連動歯車、４４…ナット、４６…一方向クラッチ、５０…支持部、５０ａ…前部段部、５２…内輪部材、５４…保護キャップ、５６…外輪部材、５８…転がり部材、５８ａ…保持器、５８ｂ…作動アーム、６０…回り止め部材、６２…切換レバー、６２ａ…操作軸、６２ｂ…突部、６２ｃ…斜面、７２…ドラグノブ、８０…反転復帰機構、８２…復帰用移動部材、８２ａ…ボス、８２ｂ…ボス、８４…復帰用衝接部、８４ａ…規制部、９０…自動切換機構、９２…コイルバネ、９４…切換部材、９４ａ…フランジ部、９４ｂ…突部、９４ｃ…斜面、９６…抜け止め部材。
【図１】
0004887278.tif 000002
【図２】
0004887278.tif 000003
【図３】
0004887278.tif 000004
【図４】
0004887278.tif 000005
【図５】
0004887278.tif 000006
【図６】
0004887278.tif 000007
【図７】
0004887278.tif 000008